(57)【要約】本発明は、中間シート（７）を備え、また、該中間シート（７）の両側に中間シート（７）の対応する面と密着する面を有する少なくとも一つの外側シート（１１、１３）を備える多層ＩＣカード（１５）用の挿入材（１）に関するものであり、挿入材が圧延成形される前の中間シートは少なくとも一つの凹部（９）を備えている。挿入材は、外側シート（１１、１３）の少なくとも一つが流動性のある素材からなり、挿入材および／またはＩＣカードの正当性を示すことが可能な視覚的および／または触覚的なふぞろいが挿入材（１）の表面に形成されるように、中間シート（７）を外側シート（１１、１３）と圧延成形する際に外側シート（１１、１３）の素材の一部が中間シートの凹部（９）に移動することを特徴とする。【選択図】図２Ａ
2010530582.tif 000002
【特許請求の範囲】
【請求項１】
中間シート（７）を備え、また、該中間シート（７）の両側に中間シート（７）の対応する面と密着する面を有する少なくとも一つの外側シート（１１、１３）を備える多層ＩＣカード（１５）用の挿入材（１）であり、挿入材が圧延成形される前の中間シートは少なくとも一つの凹部（９）を備えており、外側シート（１１、１３）の少なくとも一つが流動性のある素材からなり、挿入材および／またはＩＣカードの正当性を示すことが可能な視覚的および／または触覚的なふぞろいが挿入材（１）の表面に形成されるように、中間シート（７）を外側シート（１１、１３）と圧延成形する際に外側シート（１１、１３）の素材の一部が中間シートの凹部（９）に移動することを特徴とする挿入材。
【請求項２】
上記凹部（９）の形状は、挿入材の発行者および／または製造者を示すロゴを表すことを特徴とする、請求項１に記載の挿入材（１）。
【請求項３】
挿入材の出所を示すことができるロゴを形成するように配置されている複数の凹部（９）を備えることを特徴とする、請求項１または２に記載の挿入材（１）。
【請求項４】
上記中間シート（７）はアンテナ（３）を備え、凹部（９）はアンテナ（３）によって被覆された区域外に形成されることを特徴とする、請求項２に記載の挿入材（１）。
【請求項５】
中間シート（７）および外側シート（１１、１３）は、ポリカーボネート、ＰＶＣおよびＰＥＴから選択される素材で作製されることを特徴とする、請求項１〜４のいずれか一つに記載の挿入材（１）。
【請求項６】
請求項１〜５のいずれか一つに記載された挿入材（１）、および、前記挿入材の両側に挿入材（１）の対応する面に特に圧延成形によって一体となった少なくとも一つの外層（１７、１９、２１）を備えることを特徴とする、多層圧延化構造を有するＩＣカード（１５）。
【請求項７】
外層（１７、１９、２１）の少なくとも一つは、ポリカーボネート、ＰＶＣおよびＰＥＴから選択される素材で作製されることを特徴とする、請求項４に記載のＩＣカード（１５）。
【請求項８】
外層（１７、１９、２１）は、約１００〜４００μｍの厚みを有することを特徴とする、請求項４に記載のＩＣカード（１５）。
【請求項９】
‐挿入材（１）の中間シート（７）用の素材層を提供し、この中間シート（７）に所定のモチーフにしたがった、少なくとも一つの凹部（９）を作りつけ、
‐挿入材（１）の中間シート（７）の両側に、圧延成形によって少なくとも一つの流動性のある素材層（１１、１３）を貼り付け、圧延成形の間、流動性のある素材層（１１、１３）の素材の一部は、挿入材の中間シート（７）の凹部（９）に移動し、挿入材上に目で、および／または、手で触ることで検出することが可能なふぞろいを残すことからなる段階を備えることを特徴とする、請求項１〜５のいずれか一つに記載のＩＣカード（１５）用の挿入材（１）の製造方法。
【請求項１０】
‐請求項９に記載の挿入材（１）を提供し、
‐挿入材（１）の両側に、特にポリカーボネート、ＰＶＣまたはＰＥＴ型の少なくとも一つの外側素材シート（１７、１９、２１）を貼り付け、
‐挿入材（１）および外側素材シート（１７、１９、２１）を結合するために、最終的な圧延成形段階を実行する
ことからなる段階を備えることを特徴とする、多層ＩＣカード（１５）の製造方法。
【発明の詳細な説明】
【技術分野】
【０００１】
本発明は、とりわけＩＣカード用の、さらには、専用のものではないが、特に非接触型ＩＣカード用の、安全化された挿入材に関するものである。
【背景技術】
【０００２】
現行技術では、屈曲耐性ならびにカード本体を形成する層の剥離耐性などの特長を有するカードを得るために、複数のＩＣカードの部品を組み立てる方法が公知である。熱間または冷間圧延成形によって結合される複数のプラスチック素材のシートを使用するこれらの公知の方法は広く実施されており、結果、ＩＣカードはほぼ一般的に使用されるものになった。
【０００３】
残念ながら、ＩＣカードが広く普及した物として成功を収めたことは、ＩＣカードの偽造を取り巻く問題点を大きく発展させることになった。実際、特に支払い、アクセス管理、ＩＤ管理、または、ＩＣカードの他の適用分野でのＩＣカードの使用を考慮すると、銀行、電話会社、またさらには、とりわけアクセス管理またはＩＤ管理などの分野における他のＩＣカード発行者などである、正規のＩＣカード発行者によって正式に発行されたものではない偽造ＩＣカードを、犯罪組織が市場で使用していることが多い。
【０００４】
一部の偽造技術は、例えば、印刷によってＩＣカードの表面に作製されたロゴを消し、またさらには、偽のＩＣカードに偽のロゴを複製することからなる。他の偽造技術は、ＩＣカードの圧延成形された層を分離するための関連手段を利用し、元の外層を維持したまま、そこに偽造した挿入材を配置するか、またはその逆をすることからなる。
【発明の概要】
【発明が解決しようとする課題】
【０００５】
したがって、ＩＣカードが正規発行者によって発行された真正のカードであるか、または偽造されたカードであるかを確認する手段を強化させることができるＩＣカードの製造方法を開発することは、本出願人には有効であると思われた。
【０００６】
本発明の他の目的は、剥離によるＩＣカードの分解に対する機械的抵抗の強化を可能にする製造方法を提案することであり、それは、非接触型ＩＣカードリーダーと遠隔通信するためのアンテナを有する挿入材を備えた非接触型ＩＣカードに特に有効であるが、同様に、従来の圧延成形接触型カードにもまた有効である。
【課題を解決するための手段】
【０００７】
このため、本発明による方法の原理は、カードの挿入材が、圧延成形後にそのカードが偽造されたものであるか否かを判別することを可能にする、視覚的または触覚的な特長を生み出すことを可能にする均質性欠陥を備えることからなる。有利には、この均質性欠陥により、視覚的または触覚的効果に加え、カード層の分解に対する挿入材およびＩＣカードの耐性の増大も得られる。実際、この視覚的または触覚的な特長は、カードの深奥に形成されるため、偽造を目的に後にこの特長に触れるのはより困難になる。
【０００８】
したがって、本発明は、中間シートを備え、また、該中間シートの両側に中間シートの対応する面と密着する面を有する少なくとも一つの外側シートを備える多層ＩＣカード用の挿入材であり、中間シートは少なくとも一つの凹部を備えており、外側シートが流動性のある素材からなり、挿入材および／またはＩＣカードの正当性を示すことが可能な署名の形式を構成することが可能な視覚的および／または触覚的なふぞろいが挿入材の外面に形成されるように、中間シートを外側シートと圧延成形する際に外側シートの素材の一部が中間シートの凹部に移動することを特徴とする挿入材を目的とするものである。
【０００９】
有利には、凹部の形状は、挿入材の発行者および／または製造者を示すロゴを表すものである。
【００１０】
挿入材の他の有利な実施態様によると、該挿入材は、単一ではなく、複数の凹部を備え、該凹部は、挿入材の出所または挿入材を使用するＩＣカードの発行者を示すことのできるロゴを表すように配置されている。
【００１１】
本発明によって、非接触型ＩＣカード用の安全性の高い挿入材を製造するために、中間シートがアンテナを備えることができるように考えられた。この場合、挿入材の中間シートの凹部は、アンテナによって被覆された区域外に形成される。
【００１２】
本発明は、また、上記に定められたような挿入材を使用する接触型または非接触型ＩＣカード、ならびに、挿入材および本発明による挿入材を使用するＩＣカードの製造方法に関するものである。
【図面の簡単な説明】
【００１３】
【図１】ＩＣカード用の挿入材の平面図
【図２Ａ】図１の挿入材の横断面図
【図２Ｂ】圧延成形後の図２Ａの挿入材
【図３】図１および２に従った挿入材、および、挿入材の両側に配置された複数の外層を備えるＩＣカードのＡ−Ａ横断面図
【発明を実施するための形態】
【００１４】
本発明のその他の特徴および利点は、下記の添付図面を参照して行う詳細な説明から明らかになるであろう。
−図１は、ＩＣカード用の挿入材の平面図である。
−図２Ａは、図１の挿入材の横断面図であり、図２Ｂは、圧延成形後の図２Ａの挿入材を示している。
−図３は、図１および２に従った挿入材、および、挿入材の両側に配置された複数の外層を備えるＩＣカードのＡ−Ａ横断面図である。
【００１５】
図１を参照する。この図には、本発明によるＩＣカード用の挿入材１の平面図が示されている。挿入材１は、挿入材の厚みの中に配置された、または、その表面にシルクスクリーン印刷されたアンテナ３を透視図で示している。したがって、この実施例は非接触型カード用の挿入材に関するものであるが、本発明は接触型カード用の挿入材にも使用することができる。
【００１６】
図１から分かるように、挿入材１は、挿入材のサイズおよび厚みの特性に応じて切断または鋳造によって形成可能な、複数の孔または凹部９を備える。並置された孔は、任意のモチーフ、すなわち、挿入材を使用するＩＣカード発行者によってあらかじめ決定されたモチーフを構成することができる。したがって、孔が銀行または金融機関や銀行カード管理機関のロゴを表す挿入材を容易に想像することができる。このようにして、図示した実施例において、文字ＳＰＳの形状を有する凹部を形成した。しかし、また、複数の点、すなわち孔の並置によってロゴを形成することは必ずしも必要ではなく、それだけでロゴ４の輪郭を表す単一の凹部を考案することも可能である。このようにして、示した実施例において、図案化されたロゴ「ＳＰＳ」を作製した。
【００１７】
図１の挿入材１の横断面Ａ−Ａを図示した図２Ａを参照する。図面に見られるように、挿入材は、一組の凹部または孔９を備える中間層７および外層１１、１３からなる。中間シート７の厚さは、例えば約４０μｍであり、外側シート１１、１３の厚さは約１００μｍであり、それによって、約２４０μｍの非常に薄い挿入材を形成することが可能となり、それはＩＳＯ７８１６規格によって規格化された厚さのＩＣカードの製造に非常に適している。もちろん、本発明の範囲内でその他のサイズも可能であり、また、流動性のある素材から作製された外層を一つだけ使用することも可能であり、その場合、その厚さは、好ましくは約１００〜４００μｍである。
【００１８】
挿入材１の外層１１、１３の素材に流動性があること、すなわち、挿入材の層の圧延成形段階の際に、中間シート７の凹部９の正面に配置された外層１１、１３の素材の一部が、凹部９に移動することができるように選択され、それにより、孔９の正面に配置された外層のこれらの区域に素材の均質性欠陥が形成されることは留意すべきことである。いずれの場合にせよ、この素材の欠如により、素材密度が部分的に低くなり、それゆえ密度の低いこれらの場所に圧力がかかることにより、視覚的に、さらには触覚的に検出できる知覚の差異が生じる。したがって、圧延成形段階の際に埋められた孔９における素材の欠如または密度の低下から、視覚的および／または触覚的な要素が、このようにして、挿入材、特に挿入材の外層の表面に形成される。挿入材用に選択した素材に応じ、透過または反射によって生じた視覚的効果を、例えば挿入材の中心部にロゴの存在を観察することができる。
【００１９】
また、中間層への外層の素材の流出によって挿入材の凹部９が充填されることにより、中間層において、外層のほぞ／ほぞ穴型の機械的な連結効果が生じ、その結果、後に挿入材の層を分離しようとする全ての試みが、容易に検出することが可能な引き抜きの痕跡として残ることになり、挿入材およびそのような挿入材を使用するＩＣカードの安全性に貢献する。
【００２０】
図３には、本発明による挿入材１をＩＣカード１５の作製に使用する方法を図示した。それ自体公知の圧延成形方法によって、ＩＣカードに付加される外層１７、１９、２１を圧延成形すればよい。挿入材の中間シートの凹部によって形成された表面のふぞろいは、直接か、あるいは観察光に応じたカードの傾斜に応じて、完成したＩＣカード１５の表面に見ることができる。この知覚の差異は、しばしば、英語の専門用語で「フラッシュ（ｆｌａｓｈ）」と呼ばれる。凹部が十分に深いときは、カードの外側に触れることで表面のふぞろいを感じることもできる。
【００２１】
本発明によるＩＣカード用の挿入材は、挿入材１の中心部、したがって、挿入材を使用するＩＣカード１５の中心部に、挿入材の出所を識別することが可能な視覚および／または触覚要素を形成する限りにおいて、特に有利である。また、圧延成形による挿入材１の製造方法により、挿入材の凹部９は挿入材の外層の素材で充填され、挿入材またはＩＣカードが外されたことを証明する跡を残さずに分解することがほぼ不可能な結合が得られる。その結果、本発明によって得られた構造は、実際に分解することはできない。それにもかかわらず剥離を行うと、圧延成形の際に埋められた凹部の位置に、ロゴ、または、テキストまたは所望のメッセージ、例えば、カードが無効であることを意味する英語の専門用語での表現「ボイド（ＶＯＩＤ）」が出現するように考案することも可能である。
【００２２】
本発明による挿入材１がＩＣカードの製造に使用される際、凹部９の位置に得られた可視のロゴは、ＩＣカードの中心部にはめ込まれている。したがって、消去、変更、または他のカードで再度使用することはできない。しかし、透過によって、または観察軸に対するＩＣカードの傾斜に応じて、十分視認することができる。
【００２３】
もちろん、当業者は、最良な挿入材の層に使用される素材の組み合わせ、ならびに圧延成形の際に適用される温度および圧力を選択して圧延成形する素材を溶融させることもでき、したがって素材間の完璧な接着が得られる。本出願人が行った試験により、この技術は特に挿入材の層および／またはＩＣカードの層用にポリカーボネート（ＰＣ）素材を使用すると特に良好に機能することが分かったが、ＰＶＣまたはＰＥＴを使用しても同様である。
【符号の説明】
【００２４】
１    挿入材
７    中間シート
９    凹部
１１  外側シート
１３  外側シート
１５  ＩＣカード
１７  外側シート
１９  外側シート
２１  外側シート
【図１】
2010530582.tif 000003
【図２Ａ】
2010530582.tif 000004
【図２Ｂ】
2010530582.tif 000005
【図３】
2010530582.tif 000006
【国際調査報告】
2010530582.tif 000007
2010530582.tif 000008
2010530582.tif 000009
2010530582.tif 000010
2010530582.tif 000011
2010530582.tif 000012